(57)【要約】【課題】入出力間の減衰量を、減衰なしと所望の減衰量とに無瞬断で切替調節することのできる減衰装置を提供する。【解決手段】入出力間に挿入された第１のスイッチ手段と、直列接続されると共に第１のスイッチ手段に並列接続された第１の抵抗と第２の抵抗と、直列接続されると共に直列接続の一端が第１と第２の抵抗の接続点に接続され、他端が接地された第３の抵抗と第２のスイッチ手段とを備える。【選択図】  図１
2004200953.tif 000002
【特許請求の範囲】
【請求項１】
入出力間に挿入された第１のスイッチ手段と、直列接続されると共に前記第１のスイッチ手段に並列接続された第１の抵抗と第２の抵抗と、直列接続されると共に直列接続の一端が前記第１と第２の抵抗の接続点に接続され、他端が接地された第３の抵抗と第２のスイッチ手段と、を備えることを特徴とする減衰装置。
【請求項２】
入出力間に挿入された第１のスイッチ手段と、前記第１のスイッチ手段に並列接続された第１の抵抗と、直列接続されると共に前記第１のスイッチ手段及び前記第１の抵抗に並列接続された第２の抵抗と第３の抵抗と、一端が前記第２と第３の抵抗の接続点に接続されると共に他端が接地された第２のスイッチ手段と、を備えることを特徴とする減衰装置。
【請求項３】
利得や減衰量の調整のために請求項１又は請求項２記載の前記減衰装置を用いたことを特徴とする電子装置。
【発明の詳細な説明】
【０００１】
【発明の属する技術分野】
本発明は、電子装置に使用される各種入力信号を減衰させる減衰装置に関する。
【０００２】
【従来の技術】
従来の減衰装置では、入出力にそれぞれ切替スイッチ手段を挿入し、この切替スイッチ手段の切替えにより入出力間を直結したり、入出力間に所望の減衰量を有した減衰回路を挿入して、入出力間の減衰量を切替調節している。
【０００３】
図４は、従来の減衰装置の一例を示すブロック図である。入力端２１は切替スイッチ手段２３の固定接点ａに接続されており、出力端２２は切替スイッチ手段２４の固定接点ａに接続されている。切替スイッチ手段２３の一方の可動接点ｂは切替スイッチ手段２４の一方の可動接点ｂに電気的に直接接続されており、切替スイッチ手段２３の他方の可動接点ｃは切替スイッチ手段２４の他方の可動接点ｃと所望の減衰量を有した減衰回路２５を介して電気的に接続されている。切替スイッチ手段２３と切替スイッチ手段２４は連動して動作し、各々固定接点ａと可動接点ｂとが接続されたときには入力端２１への入力信号は出力端２２にそのまま出力される。また、各々固定接点ａと可動接点ｃとが接続されたときには入力端２１への入力信号は減衰回路２５により所望の減衰量だけ減衰されて出力端２２に出力される。
【０００４】
また、特許文献１には、切替スイッチ手段の切替時における入出力間の瞬断を防ぐ技術が記載されている。図５に、この出力信号の瞬断を防止した従来の減衰装置の実施の一例のブロック図を示す。図５において、入力端３１は切替スイッチ手段３３の固定接点ａに接続されており、出力端３２は切替スイッチ手段３４の固定接点ａに接続されている。同時に入力端３１は出力端３２に抵抗３５を介して電気的に接続されている。切替スイッチ手段３３の一方の可動接点ｂは切替スイッチ手段３４の一方の可動接点ｂに電気的に直接接続されており、切替スイッチ手段３３の他方の可動接点ｃは抵抗３６を介して接地されており、切替スイッチ手段３４の他方の可動接点ｃは抵抗３７を介して接地されている。
【０００５】
ここで、抵抗３５、抵抗３６、抵抗３７は所望の減衰量を有するπ型アッテネータを構成している。切替スイッチ手段３３と切替スイッチ手段３４は連動して動作し、各々固定接点ａと可動接点ｂとが接続されたときには入力端３１への入力信号は出力端３２にそのまま出力される。また、各々固定接点ａと可動接点ｃとが接続されたときには入力端３１への入力信号は抵抗３５、抵抗３６、抵抗３７により構成される所望の減衰量を有したπ型アッテネータにより減衰されて出力端３２に出力される。この構成では切替スイッチ手段３３、切替スイッチ手段３４が切替動作中、つまり固定接点ａが可動接点ｂや可動接点ｃに接続されていない状態においても入力端３１と出力端３２が抵抗３５を介して接続されているために、出力端３２において出力信号が切替動作により瞬断されることはない。
【０００６】
【特許文献１】
特開平５-３２７３８７号公報
【０００７】
【発明が解決しようとする課題】
従来の技術では入出力間の減衰量を、減衰なしと所望の減衰量とに切替調節する場合、スイッチ構成が複雑な２接点を有する切替スイッチ手段を必要としていた。
【０００８】
本発明は、従来の問題を解決するためになされたもので、入出力間の減衰量を、減衰なしと所望の減衰量とに無瞬断で切替調節することのできる減衰装置を提供することを目的とする。
【０００９】
【課題を解決するための手段】
本発明の減衰装置は、入出力間に挿入された第１のスイッチ手段と、直列接続されると共に第１のスイッチ手段に並列接続された第１の抵抗と第２の抵抗と、直列接続されると共に直列接続の一端が第１と第２の抵抗の接続点に接続され、他端が接地された第３の抵抗と第２のスイッチ手段と、を備える構成を有している。
この構成により、第１のスイッチ手段が接続され、第２のスイッチ手段が切断されているときには入力信号は減衰することなく出力され、第１のスイッチ手段が切断され第２のスイッチ手段が接続されているときには、３個の抵抗により入力信号を所望の減衰量だけ減衰させて出力することができる。
【００１０】
また、本発明の減衰装置は、入出力間に挿入された第１のスイッチ手段と、第１のスイッチ手段に並列接続された第１の抵抗と、直列接続されると共に第１のスイッチ手段及び第１の抵抗に並列接続された第２の抵抗と第３の抵抗と、一端が第２と第３の抵抗の接続点に接続されると共に他端が接地された第２のスイッチ手段と、を備える構成を有している。
この構成により、第１のスイッチ手段が接続され、第２のスイッチ手段が切断されているときには入力信号は減衰することなく出力され、第１のスイッチ手段が切断され第２のスイッチ手段が接続されているときには、３個の抵抗により入力信号を所望の減衰量だけ減衰させて出力させることができる。
【００１１】
本発明の電子装置は、利得や減衰量の調整のために請求項１又は請求項２記載の減衰装置を用いた構成を有している。
この構成により、無瞬断で電子装置の利得や減衰量を調整することができる。
【００１２】
【発明の実施の形態】
以下、本発明の実施の形態について、図面を用いて説明する。
図１は本発明第１の実施の形態の減衰装置のブロック図である。入力端１には入力信号が入力される。出力端２からは出力信号が出力される。入力端１と出力端２の間には、第１のスイッチ手段であるスイッチ手段３が挿入されており、直列接続された第１と第２の抵抗である抵抗４と抵抗５が並列に接続されている。
また、第３の抵抗である抵抗７と第２のスイッチ手段であるスイッチ手段６とが直列接続され、直列接続のスイッチ手段６側の一端が抵抗４と抵抗５との接続点に接続され、抵抗７側の他端が接地されている。尚、スイッチ手段６と抵抗７の順序は入れ替わっていても構わない。抵抗４、抵抗５、抵抗７は所望の減衰量を有するＴ型アッテネータを構成するように定数を決定する。スイッチ手段３やスイッチ手段６は、機械式スイッチやリレー、トランジスタやｐｉｎダイオードを用いた電子式スイッチにより実現することができる。
【００１３】
次に図２を用いて上記の第１の実施の形態の動作について説明する。図２（ａ）はスイッチ手段３を接続し、スイッチ手段６を切断した状態である。このとき入力信号はスイッチ手段３のみを通過して出力端２に出力されるためその通過損失はほぼ０ｄＢである。図２（ｂ）はスイッチ手段３を切断し、スイッチ手段６を接続した状態である。このとき入力信号は抵抗４、抵抗５、抵抗７で構成されるＴ型アッテネータを通過するため、所望の減衰量だけ減衰された信号が出力端２に出力される。
【００１４】
図２（ａ）の状態と図２（ｂ）の状態を切替えることにより減衰装置の通過特性を減衰なしと所望の減衰量とに切替調節することができる。また、過渡状態であるスイッチ手段３、スイッチ手段６がともに接続されている状態では、抵抗４、抵抗５、抵抗７の影響により損失が生じるが、入力端１と出力端２がスイッチ手段３を介して電気的に直接接続されているために出力信号が瞬断されることを防ぐことができる。反対にスイッチ手段３、スイッチ手段６がともに切断されている状態では入力端１は抵抗４、抵抗５を介して出力端２に電気的に接続されているため、抵抗４、抵抗５の影響により損失が生じるが、出力信号が瞬断されることを防ぐことができる。このようにスイッチ手段３、スイッチ手段６がいかなる状態にあっても出力信号が瞬断されることを防ぐことができる。すなわち、スイッチ構成が簡単なスイッチ手段３とスイッチ手段６の２個で、入出力間の減衰量を、減衰なしと所望の減衰量とに無瞬断で切替調節することができる。
【００１５】
次に本発明の第２の実施の形態について図３を用いて説明する。図３は本発明の第２の実施の形態の減衰装置のブロック図である。入力端１１には入力信号が入力される。出力端１２からは出力信号が出力される。入力端１１と出力端１２の間に第１のスイッチ手段であるスイッチ手段１３が挿入されており、第１の抵抗である抵抗１４が並列に接続されている。入力端１１と出力端１２との間には、スイッチ手段１３及び抵抗１４に並列に、第２と第３の抵抗である抵抗１５と抵抗１６とが直列接続されて設けられている。また、第２のスイッチ手段であるスイッチ手段１７の一端が抵抗１５と抵抗１６との接続点に接続され、他端が接地されている。尚、抵抗１４、抵抗１５、抵抗１６は所望の減衰量を有するπ型アッテネータを構成するように定数が決定される。スイッチ手段１３、スイッチ手段１７は機械式スイッチやリレー、トランジスタやｐｉｎダイオードを用いた電子式スイッチにより実現することができる。
【００１６】
次に上記第２の実施の形態の動作について説明する。スイッチ手段１３を接続し、スイッチ手段１７を切断した状態では、入力信号はスイッチ手段１３のみを通過して出力端１２に出力されるためその通過損失はほぼ０ｄＢである。スイッチ手段１３を切断し、スイッチ手段１７を接続した状態では、入力信号は抵抗１４、抵抗１５、抵抗１６で構成されるπ型アッテネータを通過するため、所望の減衰量だけ減衰された信号が出力端１２に出力される。この２つの状態を切替えることにより減衰装置の通過特性を減衰なしと所望の減衰量とに切替調節することができる。
【００１７】
また、過渡状態であるスイッチ手段１３、スイッチ手段１７がともに接続されている状態では、抵抗１５、抵抗１６の影響により損失が生じるが、入力端１１と出力端１２がスイッチ手段１３を介して電気的に直接接続されているために出力信号が瞬断されることを防ぐことができる。反対にスイッチ手段１３、スイッチ手段１７がともに切断されている状態では入力端１１は抵抗１４を介して出力端１２に電気的に接続されているため、抵抗１４の影響により損失が生じるが、出力信号が瞬断されることを防ぐことができる。このようにスイッチ手段１３、スイッチ手段１７がいかなる状態にあっても出力信号が瞬断されることを防ぐことができる。すなわち、スイッチ構成が簡単なスイッチ手段１３とスイッチ手段１７の２個で、入出力間の減衰量を、減衰なしと所望の減衰量とに無瞬断で切替調節することができる。
【００１８】
尚、本発明の第１又は第２の実施の形態の減衰装置を、電子装置の利得調整や減衰量調整に使用すれば、電子装置の利得や損失を無瞬断で切替調節することが可能となる。
【００１９】
【発明の効果】
以上のように本発明は、スイッチ構成が簡単なスイッチ手段２個で、入出力間の減衰量を、減衰なしと所望の減衰量とに無瞬断で切替調節するという効果を有する減衰装置を提供することができるものである。
【図面の簡単な説明】
【図１】本発明第１の実施の形態の減衰装置のブロック図
【図２】本発明第１の実施の形態の減衰装置で、
（ａ）はスイッチ手段３を接続、スイッチ手段６を切断した状態のブロック図
（ｂ）はスイッチ手段３を切断、スイッチ手段６を接続した状態のブロック図
【図３】本発明第２の実施の形態の減衰装置のブロック図
【図４】従来の減衰装置の一例を示すブロック図
【図５】出力信号の瞬断を防止した従来の減衰装置の実施の一例のブロック図
【符号の説明】
１  入力端
２  出力端
３，６  スイッチ手段
４，５，７  抵抗
１１  入力端
１２  出力端
１３，１７  スイッチ手段
１４，１５，１６  抵抗
【図１】
2004200953.tif 000003
【図２】
2004200953.tif 000004
【図３】
2004200953.tif 000005
【図４】
2004200953.tif 000006
【図５】
2004200953.tif 000007